(57)【要約】【課題】  振動や衝撃によって磁性体コアが破損するのを防止しつつ、組立の際に、ケース内における磁性体コアのセンターずれを防止することができるアンテナ装置を提供する。【解決手段】  本発明のアンテナ装置は、開口端と閉口端を有するケース１０と、磁性体コア２１の外周面に巻回されたコイル導体２２とを有し、ケース１０内に開口端から挿入されるアンテナ本体２０と、アンテナ本体２０を支持する支持部材３０と、を具備する。  支持部材３０は、磁性体コア２１の軸方向に直交する方向で対面するようにケース１０内に配された第１装着部３１ａと第２装着部３１ｂと、第１装着部３１ａに設けられた第１板バネ部３２と、第２装着部３１ｂに設けられた第２板バネ部３３と、を有する。第１板バネ部３２と第２板バネ部３３は、アンテナ本体２０の外面を押圧し、アンテナ本体２０をケース１０に非接触状態で弾性支持する。【選択図】  図１
2016201614.tif 000002
【特許請求の範囲】
【請求項１】
開口端と閉口端を有するケースと、
磁性体コアと、前記磁性体コアの軸方向に沿って前記磁性体コアの外周面に巻回されたコイル導体とを有し、前記ケース内に前記軸方向に沿って前記開口端から挿入されるアンテナ本体と、  
前記アンテナ本体を支持する樹脂製の支持部材と、を具備し、
前記支持部材は、前記軸方向に直交する方向で対面するように前記ケース内に配された第１装着部と第２装着部と、前記第１装着部に設けられた第１板バネ部と、前記第２装着部に設けられた第２板バネ部と、を有し、
前記第１板バネ部と前記第２板バネ部は、前記アンテナ本体の外面を押圧して、前記アンテナ本体を前記ケースに非接触状態で弾性支持する、
ことを特徴とするアンテナ装置。
【請求項２】
前記第１板バネ部と前記第２板バネ部は、前記軸方向上で同じ位置に配されている、
ことを特徴とする請求項１に記載のアンテナ装置。
【請求項３】
前記第１板バネ部は、前記第１装着部に設けられた第１固定端と、前記第１固定端と連続された前記アンテナ本体の外面を押圧する第１接触部と、前記第１接触部と連続された第１自由端を有し、
前記第２板バネ部は、前記第２装着部に設けられた第２固定端と、前記第２固定端と連続された前記アンテナ本体の外面を押圧する第２接触部と、前記第２接触部と連続された第２自由端を有し、
前記押圧方向において、前記第１接触部は、前記第１固定端と前記第１自由端に比べて、前記アンテナ本体に近接されて配されており、前記第２接触部は、前記第２固定端と前記第２自由端に比べて、前記アンテナ本体に近接されて配されている、
ことを特徴とする請求項１または２に記載のアンテナ装置。
【請求項４】
前記第１固定端と前記第２固定端は、前記開口端側にあり、
前記第１自由端と前記第２自由端は、前記閉口端側にある、
ことを特徴とする請求項３に記載のアンテナ装置。
【請求項５】
前記第１板バネ部と前記第２板バネ部は、前記コイル導体に接触しない、
ことを特徴とする請求項１乃至４のいずれか１項に記載のアンテナ装置。
【発明の詳細な説明】
【技術分野】
【０００１】
本発明は、例えばキーレスエントリーシステムを搭載した車両のドアハンドルの内部に設置され、ドアの施解錠を遠隔制御で行う通信システムなどに適用することができるアンテナ装置に関する。
【背景技術】
【０００２】
近年、自動車には、ドアの施解錠をキー操作なしで行うことができるキーレスエントリーシステムが装備されることが多い。キーレスエントリーシステムは、ワイヤレス方式の通信システムによって車両のドアの施解錠を遠隔制御で行うものであり、車両のユーザが携帯する携帯機と通信を行うために、車両外側のドアハンドル内にアンテナ装置が装備されている。
【０００３】
このようなアンテナ装置として、例えば特許文献１には、磁性体コアと、磁性体コアに巻回されたコイルを備えた巻回体と、この巻回体が収容されたケースと、このケースの開口部に嵌合して巻回体を支持するキャップを備え、巻回体とケースとの隙間に発泡ウレタンや発泡シリコーンなどによるフォームやスポンジを設けたものが開示されている。
【０００４】
また、特許文献２には、磁性体コアと、この磁性体コアを包囲するボビンと、このボビンに巻回されたコイルを備えた巻回体と、この巻回体が収容されたケースと、巻回体とケースとの隙間に設けられた発泡体とを備え、この発泡体が所定量だけ圧縮されているものが開示されている。
【０００５】
特許文献１と特許文献２に記載のアンテナ装置によれば、車両および車両ドアの振動や衝撃によって巻回体がケースと接触するのを防ぐとともに、ケースに加わる変形や荷重をある程度吸収して、磁性体コアの破損を防止することができる。
【先行技術文献】
【特許文献】
【０００６】
【特許文献１】国際公開第２００７／０１５３４４号
【特許文献２】国際公開第２００８／０７２４９６号
【発明の概要】
【発明が解決しようとする課題】
【０００７】
しかしながら、特許文献１や特許文献２に記載のアンテナ装置では、巻回体の周囲に密着して配される発泡体が、ケース内である程度圧縮状態となるように巻回体をケース内に挿入する必要があるため、巻回体をケース内に挿入する際に、発泡体の一部が巻回体から剥がれる可能性がある。すると、ケース内における磁性体コアのセンターがずれてしまい、安定した性能を得るのが難しいと考えられる。
【０００８】
そこで、本発明の主たる目的は、振動や衝撃によって磁性体コアが破損するのを防止しつつ、組立の際に、ケース内における磁性体コアのセンターずれを防止することができるアンテナ装置を提供しようとするものである。
【課題を解決するための手段】
【０００９】
以下、上記の課題を解決するために為された本発明の態様を記載する。なお、以下に記載の各態様において採用される構成要素は、可能な限り任意な組み合わせで採用することができる。また、本発明の態様あるいは技術的特徴は以下に記載のものに限定されることなく、明細書全体および図面に記載されたもの、或いはそれらの記載から当業者が把握することの出来る発明思想に基づいて認識されるものである。
【００１０】
本発明の実施態様に係るアンテナ装置は、
開口端と閉口端を有するケースと、
磁性体コアと、前記磁性体コアの軸方向に沿って前記磁性体コアの外周面に巻回されたコイル導体とを有し、前記ケース内に前記軸方向に沿って前記開口端から挿入されるアンテナ本体と、  
前記アンテナ本体を支持する樹脂製の支持部材と、を具備し、
前記支持部材は、前記軸方向に直交する方向で対面するように前記ケース内に配された第１装着部と第２装着部と、前記第１装着部に設けられた第１板バネ部と、前記第２装着部に設けられた第２板バネ部と、を有し、
前記第１板バネ部と前記第２板バネ部は、前記アンテナ本体の外面を押圧し、前記アンテナ本体を前記ケースに非接触状態で弾性支持する、
ことを特徴とする。
【００１１】
本発明の実施態様では、更なる特徴として、
「前記第１板バネ部と前記第２板バネ部は、前記軸方向上で同じ位置に配されていること」、
「前記第１板バネ部は、前記第１装着部に設けられた第１固定端と、前記第１固定端と連続された前記アンテナ本体の外面を押圧する第１接触部と、前記第１接触部と連続された第１自由端を有し、
前記第２板バネ部は、前記第２装着部に設けられた第２固定端と、前記第２固定端と連続された前記アンテナ本体の外面を押圧する第２接触部と、前記第２接触部と連続された第２自由端を有し、
前記押圧方向において、前記第１接触部は、前記第１固定端と前記第１自由端に比べて、前記アンテナ本体に近接されて配されており、前記第２接触部は、前記第２固定端と前記第２自由端に比べて、前記アンテナ本体に近接されて配されていること」、
「前記第１固定端と前記第２固定端は、前記開口端側にあり、
前記第１自由端と前記第２自由端は、前記閉口端側にあること」、
「前記第１板バネ部と前記第２板バネ部は、前記コイル導体に接触しないこと」、
を含むものである。
【発明の効果】
【００１２】
本発明のアンテナ装置によれば、振動や衝撃によって磁性体コアが破損するのを防止することができる。また、アンテナ本体をスムーズにケース内に保持させることができ、組立の際にケース内で磁性体コアのセンターがずれるのを防止することができる。
【図面の簡単な説明】
【００１３】
【図１】本発明の実施形態例に係るアンテナ装置の組立時の分解斜視図である。
【図２】本発明の実施形態例に係る完成品のアンテナ装置の断面図である。
【図３】本発明の実施形態例に係る支持部材の断面図である。
【発明を実施するための形態】
【００１４】
以下、図面を参照して本発明の実施形態例を説明する。
【００１５】
（実施形態例）
本発明の実施形態例に係るアンテナ装置を、図１から図３を参照して説明する。本例のアンテナ装置は、キーレスエントリーシステムを搭載した車両のドアハンドルの内部に設置され、ドアの施解錠を遠隔制御で行う通信システムの一部として用いることができるものである。
【００１６】
本例のアンテナ装置は、主に、ケース１０と、アンテナ本体２０と、支持部材３０と、保持具４０と、蓋５０を備えている。
【００１７】
ケース１０は、アンテナ本体２０を収容するものであり、絶縁性樹脂によって一端（図２では右端）が開口し、他端（図２では左端）が閉口した概ね有底四角筒状に形成されたものである。
ケース１０は、第１側面１０ａと、第１側面１０ａと対面する第２側面１０ｂと、第１側面１０ａと第２側面１０ｂの間に配された第３側面１０ｃと、第３側面１０ｃと対面する第４側面１０ｄと、第１〜第４側面１０ａ〜１０ｄに隣接された底面１０ｅを有する。
【００１８】
アンテナ本体２０は、図１に示すように、磁性体コア２１とコイル導体２２を備えている。
磁性体コア２１は、磁性材料によって概ね角柱状に形成されている。なお、磁性材料として例えば電気抵抗の比較的小さい金属磁性体を用いる場合には、磁性体コア２１の外側に絶縁テープ２３を巻いた状態で使用するのが好ましい。
コイル導体２２は、ポリイミド等の耐熱性樹脂を被覆した一本の導線からなり、磁性体コア２１の軸方向（磁性体コア２１の長手方向を意味し、図２ではＸ方向）に沿って磁性体コア２１の外周面に多数回巻回されている。
具体的には、コイル導体２２は、磁性体コア２１の軸方向の中央部分に巻回された中央巻部２２ａと、中央巻部２２ａの軸方向の両側に巻回された２つの両側巻部２２ｃ、２２ｃと、中央巻部２２ａと両側巻部２２ｃ、２２ｃとをつなぐ１本の接続線２２ｂを有している。
【００１９】
磁性体コア２１の両端部には所定の範囲に亘ってコイル導体２２が巻回されていない領域が存在する。
【００２０】
支持部材３０は、絶縁性樹脂によって一端（図２では右端）が開口し、他端（図２では左端）が閉口した概ね略有底四角筒状に形成されたものである。この支持部材３０は、第１装着部３１ａと、第１装着部３１ａと対面する第２装着部３１ｂと、第１装着部３１ａと第２装着部３１ｂとの間に配された第３装着部３１ｃと、第３装着部３１ｃと対面する第４装着部３１ｄと、第１〜第４装着部３１ａ〜３１ｄに隣接された底面３１ｅを有する。また支持部材３０は、第１装着部３１ａに設けられた第１板バネ部３２と、第２装着部３１ｂに設けられた第２板バネ部３３と、
第３装着部３１ｃに設けられた第３板バネ部３４と、第４装着部３１ｄに設けられた第４板バネ部３５を有する。
【００２１】
支持部材３０は、ケース１０内に装着されている。具体的には、支持部材の底面３１ｅがケースの底面１０ｅと接するように、支持部材３０がケース１０内に挿入されて、支持部材３０の開口とケース１０の開口が同じ向きに配されている。
【００２２】
支持部材の底面３１ｅは矩形状を呈し、その外形はケースの底面１０ｅとほぼ同じ大きさで形成されている。
また、支持部材３０の側壁（第１〜第４装着部３１ａ〜３１ｄ）外周は矩形状を呈し、その外形はケース１０の内形とほぼ同じ大きさで形成されている。
支持部材３０の材料や厚みは、板バネ部に要求されるバネ定数等に応じて決めることができる。
【００２３】
第１装着部３１ａは、ケース１０内の第１側面１０ａに接して配されている平板部分である。第１装着部３１ａは第１側面１０ａと接着剤や両面接着シートなどによって固定されてもよい。
【００２４】
第２装着部３１ｂは、ケース１０内の第２側面１０ｂに接して配されている平板部分である。
第２装着部３１ｂは第２側面１０ｂと接着剤や両面接着シートなどによって固定されてもよい。
【００２５】
第３装着部３１ｃは、ケース１０内の第３側面１０ｃに接して配されている平板部分である。
第３装着部３１ｃは第３側面１０ｃと接着剤や両面接着シートなどによって固定されてもよい。
【００２６】
第４装着部３１ｄは、ケース１０内の第４側面１０ｄに接して配されている平板部分である。
第４装着部３１ｄは第４側面１０ｄと接着剤や両面接着シートなどによって固定されてもよい。
【００２７】
第１板バネ部３２は、第１装着部３１ａからケース１０の開口端側を支点にケース１０の閉口端側が切り起こされて曲げ加工された片持ちバネである。この第１板バネ部３２は、第１装着部３１ａから第２装着部３１ｂに向かって突出するように湾曲形状に一体成形されており、湾曲形状の外面が、アンテナ本体２０の外面をＺ方向（軸方向と直交する第１押圧方向）に押圧することにより、アンテナ本体２０をケース１０に非接触状態で弾性支持する。
【００２８】
以下、具体的に説明する。
第１板バネ部３２は、第１固定端３２ａと第１自由端３２ｂと第１接触部３２ｃを有する。
第１固定端３２ａは、ケース１０の開口端側に形成されて第１装着部３１ａと連続して形成されており、切り起こしの曲げ支点となっている。
第１自由端３２ｂは、ケース１０の閉口端側に形成されている。
第１接触部３２ｃは、第１固定端３２ａと第１自由端３２ｂの間に配されて第１固定端３２ａと第１自由端３２ｂに連続されて形成されており、アンテナ本体２０の一部であるコイル導体２２の外面を第１押圧方向に押圧するものである。第１押圧方向において、第１接触部３２ｃは、第１固定端３２ａと第１自由端３２ｂに比べて、アンテナ本体２０に近接されて配されており、第１固定端３２ａと第１自由端３２ｂは、同じ位置（高さ）に配されている。  
また、第１押圧方向において、組立前の第１板バネ部３２の高さＨ１（図３参照）は、第１側面１０ａからコイル導体２２までの距離Ｄ１（図２参照）よりも大きく設定されている。
【００２９】
第２板バネ部３３は、第２装着部３１ｂからケース１０の開口端側を支点にケース１０の閉口端側が切り起こされて曲げ加工された片持ちバネとなっている。この第２板バネ部３３は、第２装着部３１ｂから第１装着部３１ａに向かって突出するように湾曲形状に一体成形されており、湾曲形状の外面が、アンテナ本体２０の外面を第１押圧方向に押圧することにより、アンテナ本体２０をケース１０に非接触状態で弾性支持するものである。
【００３０】
以下、具体的に説明する。
第２板バネ部３３は、第２固定端３３ａと第２自由端３３ｂと第２接触部３３ｃを有する。
第２固定端３３ａは、ケース１０の開口端側に形成されて第２装着部３１ｂと連続して形成されており、切り起こしの曲げ支点となっている。
第２自由端３３ｂは、ケース１０の閉口端側に形成されている。
第２接触部３３ｃは、第２固定端３３ａと第２自由端３３ｂの間に配されて第２固定端３３ａと第２自由端３３ｂに連続されて形成されておりアンテナ本体２０の一部であるコイル導体２２の外面を第１押圧方向に押圧するものである。第１押圧方向において、第２接触部３３ｃは、第２固定端３３ａと第２自由端３３ｂに比べて、アンテナ本体２０に近接されて配されており、第２固定端３３ａと第２自由端３３ｂは、同じ位置（高さ）に配されている。  
また、第１押圧方向において、組立前の第２板バネ部３３の高さＨ２（図３参照）は、第２側面１０ｂからコイル導体２２までの距離Ｄ２（図２参照）よりも大きく設定されている。
【００３１】
第３板バネ部３４は、第３装着部３１ｃからケース１０の開口端側を支点にケース１０の閉口端側が切り起こされて曲げ加工された片持ちバネである。この第３板バネ部３４は、第３装着部３１ｃから第４装着部３１ｄに向かって突出するように湾曲形状に一体成形されており、湾曲形状の外面が、アンテナ本体２０の外面をＹ方向（軸方向と第１押圧方向に直交する第２押圧方向）に押圧することにより、アンテナ本体２０をケース１０に非接触状態で弾性支持するものである。
【００３２】
以下、具体的に説明する。
第３板バネ部３４は、第３固定端３４ａと第３自由端３４ｂと第３接触部３４ｃを有する。
第３固定端３４ａは、ケース１０の開口端側に形成されて第３装着部３１ｃと連続して形成されており、切り起こしの曲げ支点となっている。
第３自由端３４ｂは、ケース１０の閉口端側に形成されている。
第３接触部３４ｃは、第３固定端３４ａと第３自由端３４ｂの間に配されて第３固定端３４ａと第３自由端３４ｂに連続されて形成されておりアンテナ本体２０の一部であるコイル導体２２の外面を第２押圧方向に押圧するものである。第２押圧方向において、第３接触部３４ｃは、第３固定端３４ａと第３自由端３４ｂに比べて、アンテナ本体２０に近接されて配されており、第３固定端３４ａと第３自由端３４ｂは、同じ位置（高さ）に配されている。
また、第２押圧方向において、組立前の第３板バネ部３４の高さＨ３（不図示）は、第３側面１０ｃからコイル導体２２までの距離Ｄ３（不図示）よりも大きく設定されている。
【００３３】
第４板バネ部３５は、第４装着部３１ｄからケース１０の開口端側を支点にケース１０の閉口端側が切り起こされて曲げ加工された片持ちバネである。この第４板バネ部３５は、第４装着部３１ｄから第３装着部３１ｃに向かって突出するように湾曲形状に一体成形されており、湾曲形状の外面が、アンテナ本体２０の外面を第２押圧方向に押圧することにより、アンテナ本体２０をケース１０に非接触状態で弾性支持するものである。
【００３４】
以下、具体的に説明する。
第４板バネ部３５は、第４固定端３５ａと第４自由端３５ｂと第４接触部３５ｃを有する。
第４固定端３５ａは、ケース１０の開口端側に形成されて第４装着部３１ｄと連続して配されており、切り起こしの曲げ支点となっている。
第４自由端３５ｂは、ケース１０の閉口端側に形成されている。
第４接触部３５ｃは、第４固定端３５ａと第４自由端３５ｂの間に配されて第４固定端３５ａと第４自由端３５ｂに連続されて形成されておりアンテナ本体２０の一部であるコイル導体２２の外面を第２押圧方向に押圧するものである。第２押圧方向において、第４接触部３５ｃは、第４固定端３５ａと第４自由端３５ｂに比べて、アンテナ本体２０に近接されて配されており、第４固定端３５ａと第４自由端３５ｂは、同じ位置（高さ）に配されている。
また、第２押圧方向において、組立前の第４板バネ部３５の高さＨ４（不図示）は、第４側面１０ｄからコイル導体２２までの距離Ｄ４（不図示）よりも大きく設定されている。
【００３５】
そして、互いに対向する第１装着部３１ａと第２装着部３１ｂは、同じ大きさ、同じ厚さに形成されている。
また、互いに対向する第３装着部３１ｃと第４装着部３１ｄは、同じ大きさ、同じ厚さに形成されている。
また、互いに対向する第１板バネ部３２と第２板バネ部３３は、同じ大きさ、同じ厚さに形成されている。
また、互いに対向する第３板バネ部３４と第４板バネ部３５は、同じ大きさ、同じ厚さに形成されている。
【００３６】
上記のようにして形成された第１板バネ部３２は、第１固定端３２ａを支点として適度なバネ性を有し、第２板バネ部３３は、第２固定端３３ａを支点として適度なバネ性を有し、第１板バネ部３２と第２板バネ部３３は同じバネ定数を有するものである。
また、上記のようにして形成された第３板バネ部３４は、第３固定端３４ａを支点として適度なバネ性を有し、第４板バネ部３５は、第４固定端３５ａを支点として適度なバネ性を有し、第３板バネ部３４と第４板バネ部３５は同じバネ定数を有するものである。
そして、本例の第１〜第４板バネ部３２〜３５の第１〜第４接触部３２ｃ〜３５ｃは、軸方向上で同じ位置に配されている。
【００３７】
磁性体コア２１の軸方向の一端部（図２では左端）は、支持部材の底面３１ｅを介してケースの底面１０ｅと非接触に配されている。
【００３８】
磁性体コア２１の軸方向の他端（図２では右端）には、絶縁性の耐熱性樹脂からなる保持具４０が装着される。
保持具４０は、磁性体コア２１の一端が挿入される筒状部４１と、導電性金属からなる２つの端子部材４３が保持された端子保持部４２によって構成されている。
【００３９】
筒状部４１の外周は矩形状を呈し、その外形はケース１０の内形とほぼ同じ大きさで形成されている。
端子保持部４２の外周は矩形状を呈し、その外形はケース１０の内形よりも小さく形成されている。
【００４０】
コイル導体２２の両端部である２つの端末は、筒状部４１の外周に形成された溝部を介して、２つの端子部材４３の一端にそれぞれ半田等によって電気的に接続されている。また、２つの端子部材４３の他端には、リード線６０が半田等によって電気的に接続されている。
【００４１】
次に、本例のアンテナ装置の組立方法について説明する。
まず、支持部材３０がケース１０内に挿入されると、支持部材の底面３１ｅがケースの底面１０ｅに当接され固定されて、支持部材３０の開口とケース１０の開口が同じ向きに配される。
次に、アンテナ本体２０は、ケース１０内に挿入された支持部材３０内に、磁性体コア２１の軸方向に沿って挿入される。
アンテナ本体２０が支持部材３０内に挿入されると、アンテナ本体２０の一端部が第１〜第４板バネ部３２〜３５に当接して、アンテナ本体２０の一端部が第１〜第４板バネ部３２〜３５を押し広げる。すると、アンテナ本体２０が第１〜第４板バネ部３２〜３５を湾曲させつつ、アンテナ本体２０の一端部が支持部材の底面３１ｅに当接して、保持具４０がケース１０内で固定される。
その結果、第１〜第４接触部３２ｃ〜３５ｃがアンテナ本体２０の外面の一部を押圧して、アンテナ本体２０を２方向（第１、第２押圧方向）から支持することにより、アンテナ本体２０はケース１０の内周面に非接触状態で保持（挟持）される。そして、磁性体コア２１の外周面とケース１０の内周面との間には所定の隙間が確保される。
【００４２】
ケース１０の開口端は、絶縁性樹脂からなる蓋５０によって閉塞される。そして、２本のリード線６０は、蓋５０に設けられている２つの孔から外部に引き出される。
なお、ケース１０内の保持具４０と蓋５０の間の空間には、防水性を確保する目的で必要に応じて軟質樹脂からなる充填材が充填される。
【００４３】
以上のように、本例のアンテナ装置では、開口端と閉口端を有するケース１０と、磁性体コア２１と、磁性体コア２１の軸方向に沿って磁性体コア２１の外周面に巻回されたコイル導体２２とを有し、ケース１０内に軸方向に沿って開口端から挿入されるアンテナ本体２０と、アンテナ本体２０を支持する樹脂製の支持部材３０と、を具備する。
支持部材３０は、軸方向に直交する方向で対面するようにケース１０内に配された第１装着部３１ａと第２装着部３１ｂと、第１装着部３１ａに設けられた第１板バネ部３２と、第２装着部３１ｂに設けられた第２板バネ部３３と、を有する。
第１板バネ部３２と第２板バネ部３３は、アンテナ本体２０の外面を押圧し、アンテナ本体２０をケース１０に非接触状態で弾性支持する。
このため、本例のアンテナ装置では、車両および車両ドアの振動や衝撃によってアンテナ本体２０がケース１０の内面に強く突き当たってしまうのを防ぐことができ、磁性体コア２１の破損を防止することができる。
また、本例のアンテナ装置では、アンテナ本体２０をケース１０に非接触状態で保持するために、板バネ構造を有する支持部材３０を用いているため、アンテナ本体２０をスムーズにケース１０内に挿入して保持（挟持）させることができる。これにより、アンテナ装置の組立の際に、ケース１０内で磁性体コア２１のセンターがずれるのを低減できる。
また、極めて簡易な構造でアンテナ本体２０をケース１０に非接触状態で安定して保持することができ、製造工程の簡略化と製造コストの低減を図ることができる。
【００４４】
また、第１板バネ部３２と第２板バネ部３３は、軸方向上で同じ位置に配されている。
これにより、ケース１０内で磁性体コア２１のセンターを位置決めできて、センターがずれるのを最小限にできる。
【００４５】
また、第１板バネ部３２は、第１装着部３１ａに設けられた第１固定端３２ａと、第１固定端３２ａと連続されたアンテナ本体２０の外面を押圧する第１接触部３２ｃと、第１接触部３２ｃと連続された第１自由端３２ｂを有し、第２板バネ部３３は、第２装着部３１ｂに設けられた第２固定端３３ａと、第２固定端３３ａと連続されたアンテナ本体２０の外面を押圧する第２接触部３３ｃと、第２接触部３３ｃと連続された第２自由端３３ｂを有する。
また、第１押圧方向において、第１接触部３２ｃは、第１固定端３２ａと第１自由端３２ｂに比べて、アンテナ本体２０に近接されて配されており、第２接触部３３ｃは、第２固定端３３ａと第２自由端３３ｂに比べて、アンテナ本体２０に近接されて配されている。
このため、本例のアンテナ装置では、アンテナ本体２０をケース１０内に配された支持部材３０内に挿入する際に、アンテナ本体２０を支持部材３０内にスムーズに挿入することができると共に、アンテナ本体２０を支持部材３０内に挿入後に、アンテナ本体２０の部品交換の必要が生じてアンテナ本体２０を支持部材３０から引き抜く際に、コイル導体２２を断線させることなく支持部材３０内からアンテナ本体２０を安全に引き抜くことができる。
【００４６】
また、第１固定端３２ａと第２固定端３３ａは、ケース１０の開口端側にあり、第１自由端３２ｂと第２自由端３３ｂは、ケース１０の閉口端側にある。
このため、本例のアンテナ装置では、第１、第２板バネ部について、第１固定端３２ａと第２固定端３３ａがケースの閉口端側にあり、第１接触部３２ｃと第２接触部３３ｃがケースの開口端側にある場合に比べて、アンテナ本体２０の一端部がケースの開口端側から閉口端側へと挿入された際に、第１板バネ部３２と第２板バネ部３３が湾曲方向と反対方向に湾曲する反り返りの恐れがなく、アンテナ本体２０を支持部材３０に確実に挿入できる。
【００４７】
また、支持部材３０は、さらに、ケース１０内に配された第３装着部３１ｃと第４装着部３１ｄと、第３装着部３１ｃに設けられた第３板バネ部３４と、第４装着部３１ｄに設けられた第４板バネ部３５と、を有する。
また、第３板バネ部３４と第４板バネ部３５は、アンテナ本体２０の外面を押圧し、アンテナ本体２０をケース１０に非接触状態で弾性支持する。
これにより、本例のアンテナ装置では、４つの板バネ部がアンテナ本体２０の４つの側面を磁性体コア２１の軸方向に直交する２方向（第１、第２押圧方向）から押圧する構造になっているため、アンテナ本体２０をケース１０に非接触状態で確実に保持することができる。
【００４８】
また、本例のアンテナ装置では、支持部材３０として樹脂板の曲げ加工品を用い、装着部から所定の方向に曲げることによって板バネ部を形成している。
このため、極めて簡易な構造でアンテナ本体２０をケース１０に非接触状態で安定して保持することができ、製造工程の簡略化と製造コストの低減を図ることができる。
【００４９】
以上、本発明の実施形態例を説明したが、本発明はこれらの実施形態例に限定されるものではなく、本発明の趣旨を逸脱しない範囲で上記実施形態例を適宜に変形等できることは言うまでもない。
【００５０】
本発明の実施形態例では、第１〜第４板バネ部３２〜３５が、湾曲形状に形成されており、湾曲形状の外面（第１〜第４接触部３２ｃ〜３５ｃ）がアンテナ本体２０の外面を押圧するが、これに限定されない。例えば、第１〜第４板バネ部は、上記のように湾曲形状に曲げられずに、板バネ部を直線形状に切り起して、さらに、この直線形状の板バネ部の途中で切り起こした方向と反対に曲げることにより、内角を鈍角とする鈍角形状に形成される。すると、この第１〜第４板バネ部は、第１〜第４固定端と、第１〜第４接触部（鈍角形状の外側の頂点）と、第１〜第４自由端を有する。そして、この第１〜第４接触部（鈍角形状の外側の頂点）がアンテナ本体２０の外面を押圧するように形成されてもよい。この場合の板バネ部は、アンテナ本体を保持する弾性を有すると共に、コイル導体を傷つけない弾性を有し、コイル断線の恐れはないものである。
【００５１】
以上の例では、第１、第２押圧方向において、第１〜第４接触部３２ｃ〜３５ｃは、第１〜第４固定端３２ａ〜３５ａと第１〜第４自由端３２ｂ〜３５ｂに比べて、アンテナ本体２０に近接されて配されているが、アンテナ本体２０を支持部材３０内に挿入後に、アンテナ本体２０を支持部材３０から引き抜くことがなければ、次の例が考えられる。
第１押圧方向において、第１、第２自由端３２ｂ、３３ｂは、第１、第２接触部３２ｃ、３３ｃと同じ高さに配されると共に、第２押圧方向において、第３、第４自由端３４ｂ、３５ｂは、第３、第４接触部３４ｃ、３５ｃと同じ高さに配されてもよい。
また、第１、第２自由端３２ｂ、３３ｂ自体が、第１、第２接触部３２ｃ、３３ｃとなると共に、第３、第４自由端３４ｂ、３５ｂ自体が、第３、第４接触部３４ｃ、３５ｃとなるように構成されてもよい。
【００５２】
以上の例では、第１〜第４板バネ部３２〜３５は軸方向に直交する２方向（第１、第２押圧方向）からアンテナ本体２０を押圧して保持する構造になっているが、これに限定されない。例えば、板バネ部がアンテナ本体２０を押圧して保持（挟持）できるならば、この板バネ部は軸方向に直交する１方向（第１押圧方向あるいは第２押圧方向）のみ保持する構造でもよい。つまり、第１板バネ部３２と第２板バネ部３３のみが、アンテナ本体２０を押圧して保持してもよいし、あるいは、第３板バネ部３４と第４板バネ部３５のみが、アンテナ本体２０を押圧して保持してもよい。
【００５３】
以上の例では、第１〜第４板バネ部３２〜３５は、軸方向上で同じ位置に配されているが、これに限定されない。例えば、板バネ部がアンテナ本体２０をケース１０に非接触に保持（挟持）できるならば、第１板バネ部３２と第２板バネ部３３が、軸方向上で異なる位置に配されてもよいし、あるいは、第３板バネ部３４と第４板バネ部３５が、軸方向上で異なる位置に配されてもよい。
【００５４】
本発明の実施形態例では、第１〜第４板バネ部３２〜３５について、第１〜第４固定端３２ａ〜３５ａはケースの開口端側にあり、第１〜第４自由端３２ｂ〜３５ｂはケースの閉口端側にあるが、これに限定されない。
例えば、第１〜第４板バネ部について、第１〜第４固定端がケースの閉口端側にあり、第１〜第４自由端がケースの開口端側にあってもよい。
【００５５】
本発明の実施形態例では、湾曲形状の第１〜第４板バネ部３２〜３５がアンテナ本体２０の一部であるコイル導体２２の外面を押圧して保持するものであるが、これに限定されない。
例えば、第１〜第４板バネ部３２〜３５が、コイル導体２２が巻回されていないアンテナ本体２０の一端部である磁性体コア２１の外面を押圧して、コイル導体２２に接触しないようにアンテナ本体を保持してもよい。具体的には、第１〜第４板バネ部が、上記のような湾曲形状に曲げられずに第１〜第４固定端にて直線形状に切り起こされて、接触部となる第１〜第４自由端が、コイル導体２２が巻回されていないアンテナ本体の一端である磁性体コア２１の外面を絶縁テープ２３を介して押圧して保持してもよい。
また、例えば、第１板バネ部３２と第２板バネ部３３が、図２に示す中央巻部２２ａと両側巻部２２ｃとの間の巻線のない磁性体コア２１の外面を押圧して保持してもよい。具体的には、第１、第２装着部３１ａ、３１ｂに配された第１、第２板バネ部の第１、第２固定端が、軸線上において、図２に示す中央巻部２２ａと両側巻部２２ｃとの間の巻線のない磁性体コアの位置に配される。そして、第１、第２板バネ部が、上記のように湾曲形状に曲げられずに第１、第２固定端から直線形状に切り起こされて、第１押圧方向上に配される。そして、接触部となる第１、第２自由端が、第１押圧方向上において、図２に示す中央巻部２２ａと両側巻部２２ｃの間のコイル導体２２が巻回されていない磁性体コア２１の外面を絶縁テープ２３を介して押圧して保持する。この場合の直線形状の第１、第２板バネ部は、アンテナ本体を押圧して保持すると若干湾曲するものである。なお、接続線２２ｂは第２押圧方向の磁性体コア２１上に配されており、断線の可能性はないものである。
【００５６】
以上の例ではアンテナ装置を車両のドアハンドルに装着した場合を説明したが、本発明のアンテナ装置は住宅や事務所等のドアにも適用できるものである。
【符号の説明】
【００５７】
１０      ケース
１０ａ    第１側面
１０ｂ    第２側面
１０ｃ    第３側面
１０ｄ    第４側面
１０ｅ    ケースの底面
２０      アンテナ本体
２１      磁性体コア
２２      コイル導体
２２ａ    中央巻部
２２ｂ    接続線
２２ｃ    両側巻部
２３      絶縁テープ
３０      支持部材
３１ａ    第１装着部
３１ｂ    第２装着部
３１ｃ    第３装着部
３１ｄ    第４装着部
３１ｅ    支持部材の底面
３２      第１板バネ部
３２ａ    第１固定端
３２ｂ    第１自由端
３２ｃ    第１接触部
３３      第２板バネ部
３３ａ    第２固定端
３３ｂ    第２自由端
３３ｃ    第２接触部
３４      第３板バネ部
３４ａ    第３固定端
３４ｂ    第３自由端
３４ｃ    第３接触部
３５      第４板バネ部
３５ａ    第４固定端
３５ｂ    第４自由端
３５ｃ    第４接触部
４０      保持具
４１      筒状部
４２      端子保持部
４３      端子部材
５０      蓋
６０      リード線
【図１】
2016201614.tif 000003
【図２】
2016201614.tif 000004
【図３】
2016201614.tif 000005